【事件の表示】
　特願２０００−２２８９３４号「液晶表示装置の駆動方法」拒絶査定不服審判事件〔平成１４年２月８日出願公開、特開２００２−４１００２号〕について、次のとおり審決する。
【結　論】
　本件審判の請求は、成り立たない。
【理　由】
第１　手続の経緯
　　　本件は、平成１２年７月２８日にされた特許出願（特願２０００−２２８９３４号。以下「本件出願」という。）につき、拒絶査定が平成１６年１０月１８日付けでされたところ、請求人が「原査定を取り消す。本願は特許をすべきものである」との審決を求めて拒絶査定不服審判を同年１１月２２日に請求したものである。
　
第２　本件出願に係る発明
　　　本件出願の請求項１に係る発明（以下「本願発明」という。）は、平成１６年７月２７日付け手続補正書により補正された明細書及び図面の記載からみて、その特許請求の範囲の請求項１に記載された次のとおりのものである。
「【請求項１】
　第１基板上に形成された走査線と、前記走査線と交差するように前記第１基板上に形成された信号線と、前記走査線と前記信号線の交差点毎に形成された画素と、前記走査線の電圧によって開閉し、前記信号線から信号を前記画素に送出するスイッチング素子と、を複数有するアレイ基板と、
　第２基板上に形成された対向電極を有する対向基板と、
　前記アレイ基板と前記対向基板との間隙に挟持された液晶層と、
　前記信号線に画像信号と黒表示信号を供給するように前記信号線を駆動する信号線駆動回路と、
　を備えた液晶表示装置の駆動方法において、
　同一の画素へ前記画像信号の書込みから再度前記画像信号を書込むまでの期間に、前記信号線に前記黒表示信号を複数個供給し、前記画素へ画像信号を書込み後に前記信号線へ供給される複数個の前記黒表示信号のうちｋ（１以上の整数）番目の前記黒表示信号を選択し書込みすることを特徴とする液晶表示装置の駆動方法。」
　
第３　刊行物に記載された発明
　　　原査定の拒絶の理由に引用された刊行物の一部である特開２０００−１２２５９６号公報（平成１２年４月２８日公開。以下「刊行物１」という。）には、図面とともに、以下のような記載がされている。
　１　「【０００１】【発明の属する技術分野】本発明は、先行フレーム期間の表示イメージの残像と現フレーム期間の表示イメージとの重なりに基づいて表示イメージが不鮮明になることを防止して動画の質を改善することができる例えば液晶表示（ＬＣＤ）装置、プラズマ表示装置、フィールド・エミッション表示装置等の高応答速度の表示装置に関する。」
　２　「【００２１】【発明の実施の形態】図４（Ａ）は、本発明に従うＬＣＤ装置７を示す。ＬＣＤ装置７は、ＬＣＤアレイ即ち表示面８、データ線駆動回路９、ゲート線駆動回路１０及びクロック発生回路１１を含む。例えば、ＬＣＤアレイ８はＶＧＡ方式の６４０×４８０画素を有し、即ち、６４０個の画素がゲート線に沿って水平方向に配列され、そして４８０個の画素が垂直方向に配列されている。もしもカラー・イメージを表示することが要求されるならば、画素の数は（６４０×３）×４８０に増大され、この場合１つの画素毎に３つのセル、即ち赤色のセル、緑のセル及び青のセルが形成される。ＳＶＧＡ（スーパー・ビデオ・グラフィック・アレイ）方式の８００×６００画素、又はＸＧＡ（エクステンディッド・グラフィック・アレイ）方式の１０２４×７６８等の画素を有するＬＣＤアレイを使用することも可能である。しかしながら説明及び図面を簡単にするために、水平方向に２４個の画素を有し、そして垂直方向に２０個の画素を有するＬＣＤアレイ即ち表示面を使用して本発明を説明する。【００２２】データ線及びゲート線の交点のそれぞれに、表示されるべきイメージを表す電荷を貯蔵するために１つの画素が接続されている。図４（Ｂ）は、１つの画素の回路を示し、ここで、薄膜トランジスタ（ＴＦＴ）１２のソース電極はデータ線に接続され、ＴＦＴ１２のゲート電極はゲート線に接続され、そしてＴＦＴ１２のドレイン電極は一方のガラス基板に形成されている画素電極１３に接続される。一方のガラス基板に形成された画素電極１３と、他方のガラス基板に掲載された共通電極１５と、画素電極１３及び共通電極１５の間に挟まれた液晶層１４とは、表示されるべきイメージを表す電荷を貯蔵するためのキャパシタを形成する。イメージ・データが画素に書き込まれるときには、ゲート線に印加されるゲート・パルスがＴＦＴ１２をターン・オンし、これによりデータ線に印加されているイメージ・データを表す電圧がＴＦＴ１２を介してキャパシタに印加されて、イメージを表すレベルまでこのキャパシタを充電する。【００２３】もしも液晶材料にＤＣ電圧が連続的に印加されると、液晶材料が劣化される。周知のように、この劣化を防止するために、液晶材料に印加されるデータ信号の極性は周期的に反転される。本発明の実施例では、いわゆるＨ／Ｖ反転（Ｈｏｒｉｚｏｎｔａｌ／ｖｅｒｔｉｃａｌ　ｉｎｖｅｒｓｉｏｎ）が使用される。図５及び６を参照してＨ／Ｖ反転について説明すると、図５（Ａ）は奇数フレーム期間に２４×２０個の画素に印加される、共通電極に対するデータ信号の極性を示し、そして図５（Ｂ）は偶数フレーム期間に２４×２０個の画素に印加される、共通電極に対するデータ信号の極性を示す。図６（Ａ）は図５（Ａ）のゲート線に沿った奇数画素ラインのデータ信号及び図５（Ｂ）のゲート線に沿った偶数画素ラインのデータ信号を示す。図６（Ｂ）は図５（Ａ）の偶数画素ラインのデータ信号及び図５（Ｂ）の奇数画素ラインのデータ信号を示す。データ信号の極性は、共通電極１５に印加される電圧であるＶＣＯＭ（この例の場合には０Ｖ）に対して交互に変化される。一例として、データ線ＤＬ１及びＤＬ２とゲート線Ｇ１及びＧ２の交点���ある４つの画素に注目すると、水平方向において隣接する画素の極性は互いに反対であり、そして垂直方向において隣接する画素の極性は互いに反対である。又、奇数フレーム期間における４つの画素の極性は、偶数フレーム期間における極性と反対である。このようにして、１つの画素の極性は奇数又は偶数フレーム期間毎に変更され、そして隣接する画素の極性は互いに反対である。」
　３　「【００２４】本発明においては、１つの画素に対するデータ信号は、図６（Ａ）に示すように、（ａ）残像を消去するために電圧レベル＋ＶＢ又は−ＶＢに固定されたフル・ブラック・カラー（黒色）を規定する第１部分即ち黒色信号部分１６及び（ｂ）ユーザに対して表示されるイメージ、例えば動画を規定する第２部分即ちイメージ信号部分１７を含み、そしてイメージ信号部分１７の電圧レベル＋ＶＩ、−ＶＩは、画素のイメージの輝度に依存して電圧レベル０Ｖから電圧レベル＋ＶＢ又は−ＶＢまで変化する。イメージ信号が＋ＶＢ又は−ＶＢを有するということは、イメージ自体がフル・ブラックであることを表す。図を簡略化するために、電圧レベル＋ＶＩ又は−ＶＩを有するイメージ信号部分１７が示されている。【００２５】図５及び６に示すように、本明細書においては、データ線ＤＬ１に接続された第１番目の画素位置に正の極性の信号を有する１つの画素ラインのデータ信号を、“＋Ｉ又は＋Ｂ信号”と呼び、そして第１番目の画素位置に負の極性の信号を有する１つの画素ラインのデータ信号を、“−Ｉ又は−Ｂ信号”と呼ぶ。従って、図５（Ａ）及び（Ｂ）に示すように、＋Ｉ又は＋Ｂ信号は奇数番目のフレーム期間に奇数番目の画素ラインにそして偶数番目のフレーム期間に偶数番目の画素ラインに書き込まれ、そして−Ｉ又は−Ｂ信号は奇数番目のフレーム期間に偶数番目の画素ラインにそして偶数番目のフレーム期間に奇数番目の画素ラインに書き込まれる。」
　４　「【００２６】本発明の動作を図７、８、９及び１０を参照して説明する。図７及び８は、イメージ及び残像消去用のフル・ブラック・カラーをＬＣＤアレイに書き込む第１実施例のタイミング図を示す。図９はイメージをＬＣＤアレイに書き込むためのゲート・パルスを示す。図１０はフル・ブラック・カラーを１つの画素に書き込むためのゲート・パルスを示し、そしてこの１つの画素に黒色が時間の経過とともに３回書き込まれることを示す。前述のように、説明及び図面を簡略化するために、水平方向に２４個の画素及び垂直方向に２０個の画素を有するＬＣＤアレイを使用して本発明の動作を説明する。従って、この場合には画素ライン即ちゲート線の数Ｙは２０である。【００２７】奇数番目及び偶数番目のフレーム期間に亘る書き込み動作が図７及び８に示されている。偶数個の期間ＴＢ１乃至ＴＢＥ、例えば４つの期間ＴＢ１乃至ＴＢ４、を有するブランキング期間が奇数フレーム期間と偶数フレーム期間との間に設けられている。表示装置の表示面にイメージを表示する１フレーム期間Ｆは、複数のイメージ書き込み期間Ｔ１乃至ＴＹを有し、そしてこの場合にはＴ１乃至Ｔ２０である。以下、イメージ書き込み期間を単に期間という。ＬＣＤアレイの全ての画素のキャパシタがリセットされ、そして図７及び８に示す奇数フレーム期間が第１番目のフレーム期間であり、そして偶数フレーム期間が第２番目のフレーム期間であるとする。この場合には、図７に示されている先行フレーム期間に対する黒色の書き込み動作は行われない。この動作については後述する。」
　５　「【００２８】本発明の概念について簡略的に説明すると、ユーザに対して表示されるイメージ（以下、単にイメージという）は、図９に示すように、データ信号の黒色信号部分１６及びイメージ信号部分１７の両方をゲートすることにより１つのフレーム期間の１つの期間の間に１画素ラインの全ての画素に書き込まれ、そして次のフレーム期間にこの１画素ラインに再びイメージが書き込まれる前に、図１０に示すように黒色信号部分１６だけをゲートすることにより残像消去用の黒色がこの１画素ラインの全ての画素に書き込まれる。【００２９】このために、本発明は２種類のゲート・パルスＧＩ及びＧＢを使用する。ゲート・パルスＧＩは図９に示され、そしてデータ信号の黒色信号部分１６及びイメージ信号部分１７の両方をゲートするための広い幅を有する。図９（Ａ）において、正のデータ信号１８の黒色信号部分１６及びイメージ信号部分１７の両方が、１つの画素のキャパシタに書き込まれ、これによりこの画素のキャパシタの電位は点線で示すように変化する。図９（Ｂ）において、負のデータ信号１９の黒色信号部分１６及びイメージ信号部分１７の両方が、１つの画素のキャパシタに書き込まれ、これによりこの画素のキャパシタの電位は点線で示すように変化する。ゲート・パルスＧＢは図１０に示され、そしてデータ信号の黒色信号部分１６だけをゲートするために、ゲート・パルスＧＩの幅よりも狭い幅を有する。黒色信号部分１６はデータ信号の前部に配置され、そしてこの後にイメージ信号部分１７が続く。この理由は、イメージの書き込み動作の間に、フル・ブラック・カラー電圧＋ＶＢ又は−ＶＢに固定される黒色信号部分１６が、キャパシタの電位を図９の点線に沿って迅速に変動するように助け、これにより、高解像度の表示装置のデータ・パルスの幅が狭くされた場合にも所望のイメージ電圧＋ＶＩ又は−ＶＩが画素のキャパシタに書き込まれるようにするためである。図１０（Ａ）において、１つの画素のキャパシタに対して、連続する３つの正のデータ信号１８の黒色信号部分１６を３回に亘って供給するために３つのゲート・パルスＧＢが使用される。３つのゲート・パルスＧＢを使用する理由は、１つのゲート・パルスＧＢの期間内に、画素のキャパシタが、フル・ブラック電圧＋ＶＢまで充電されないからである。１つのゲート・パルスＧＢの期間内に、キャパシタをフル・ブラック・レベルまで書き込めるようにＴＦＴの特性又はデータ信号の黒色信号部分１６を設計できるならば、１つのゲート・パルスＧＢだけを使用することができる。しかしながら、高解像度の表示装置の場合には、ゲート・パルスＧＩ及びＧＢの期間は解像度の増大に比例して短くなり、従って、画素のキャパシタを１つのゲート・パルスＧＢの期間内にフル・ブラック・レベルまで書き込むことが困難になる。従って、高解像度の表示装置においては複数回に亘ってキャパシタをフル・ブラック・レベルにまで書き込むことが望ましい。本実施例は、３つのゲート・パルスＧＢを使用する。この場合には、画素のキャパシタの電位は、点線で示すように＋ＶＢに向かって徐々に増大する。図１０（Ｂ）においては、１つの画素のキャパシタに対して、連続する３つの負のデータ信号１９の黒色信号部分１６を３回に亘って供給するために３つのゲート・パルスＧＢが使用される。この場合には、画素のキャパシタの電位は、点線で示すように−ＶＢに向かって徐々に増大する。【００３０】クロック・パルス発生回路１１から供給されるクロック・パルス（図示せず）の制御のもとに、後述のように、図４のデータ線駆動回路９及びゲート線駆動回路１０は、データ線及びゲート線にイメージ信号、即ち＋Ｉと＋Ｂとの組み合わせ又は−Ｉと−Ｂとの組み合わせ、そしてゲート・パルス、即ちＧＩ又はＧＢをそれぞれ供給する。」
　６　「【００３１】（第１番目のフレーム期間の書き込み動作）図７及び８を再び参照すると、データ信号＋Ｉは、図６（Ａ）に示した＋Ｉ又は＋Ｂ信号に対応し、そしてデータ信号−Ｉは、図６（Ｂ）に示した−Ｉ又は−Ｂ信号に対応する。図７の第１フレーム期間の期間Ｔ１に、広い幅のゲート・パルスＧＩがゲート線Ｇ１に供給され、ＬＣＤアレイの第１画素ラインにデータ信号＋Ｉをゲートし、これによりデータ信号＋Ｉのイメージが表示される。【００３２】第１フレーム期間の期間Ｔ２に、広い幅のゲート・パルスＧＩがゲート線Ｇ２に供給され、ＬＣＤアレイの第２画素ラインにデータ信号−Ｉをゲートし、これによりデータ信号−Ｉのイメージが表示される。【００３３】第１フレーム期間の期間Ｔ３に、広い幅のゲート・パルスＧＩがゲート線Ｇ３に供給され、ＬＣＤアレイの第３画素ラインにデータ信号＋Ｉをゲートし、これによりデータ信号＋Ｉのイメージが表示される。以下、この動作が繰り返される。このような動作はゲート線Ｇ１０に関連する第１０番目の画素ラインまで繰り返される。この時点で、ゲート線Ｇ１乃至Ｇ１０に関連する１０本の画素ラインにイメージだけが書き込まれている。【００３４】期間Ｔ１１に、広いゲート・パルスＧＩを使用してゲート線Ｇ１１に関連する画素ラインにイメージ＋Ｉを書き込み、そしてこれと同時に、狭いゲート・パルスＧＢを使用してゲート線Ｇ１に関連する画素ラインに黒色＋Ｂを書き込む動作が行われ、これによりゲート線Ｇ１１に関連する画素ラインはイメージ＋Ｉを表示し、そしてゲート線Ｇ１に関連する画素ラインは、図１０（Ａ）に示す第１黒色電圧レベル２０の黒色＋Ｂを表示する。ゲート線Ｇ１に関連する画素ラインにイメージを書き込む動作は期間Ｔ１に行われ、そしてこの画素ラインに黒色を書き込む動作は期間Ｔ１１に開始されることが明らかである。【００３５】期間Ｔ１２に、広いゲート・パルスＧＩを使用してゲート線Ｇ１２に関連する画素ラインにイメージ−Ｉを書き込み、そしてこれと同時に、狭いゲート・パルスＧＢを使用してゲート線Ｇ２に関連する画素ラインに黒色−Ｂを書き込む動作が行われ、これによりゲート線Ｇ１２に関連する画素ラインはイメージ−Ｉを表示し、そしてゲート線Ｇ２に関連する画素ラインは、図１０（Ｂ）に示す第１黒色電圧レベル２２の黒色−Ｂを表示する。【００３６】期間Ｔ１３に、広いゲート・パルスＧＩを使用してゲート線Ｇ１３に関連する画素ラインにイメージ＋Ｉを書き込み、そしてこれと同時に、狭いゲート・パルスＧＢを使用してゲート線Ｇ１に関連する画素ラインに黒色＋Ｂを書き込む動作と、狭いゲート・パルスＧＢを使用してゲート線Ｇ３に関連する画素ラインに黒色＋Ｂを書き込む動作とが行われ、これによりゲート線Ｇ１３に関連する画素ラインはイメージ＋Ｉを表示し、そしてゲート線Ｇ１に関連する画素ラインは、図１０（Ａ）に示す第２黒色電圧レベル２１の黒色＋Ｂを表示し、そしてゲート線Ｇ３に関連する画素ラインは、第１黒色電圧レベル２０の黒色＋Ｂを表示する。【００３７】期間Ｔ１４に、広いゲート・パルスＧＩを使用してゲート線Ｇ１４に関連する画素ラインにイメージ−Ｉを書き込み、そしてこれと同時に、狭いゲート・パルスＧＢを使用してゲート線Ｇ２に関連する画素ラインに黒色−Ｂを書き込む動作と、狭いゲート・パルスＧＢを使用してゲート線Ｇ４に関連する画素ラインに黒色−Ｂを書き込む動作とが行われ、これによりゲート線Ｇ１４に関連する画素ラインはイメージ−Ｉを表示し、そしてゲート線Ｇ２に関連する画素ラインは、図１０（Ｂ）に示す第２黒色電圧レベル２３の黒色−Ｂを表示し、そしてゲート線Ｇ４に関連する画素ラインは、第１黒色電圧レベル２２の黒色−Ｂを表示する。【００３８】期間Ｔ１５に、広いゲート・パルスＧＩを使用してゲート線Ｇ１５に関連する画素ラインにイメージ＋Ｉを書き込み、そしてこれと同時に、狭いゲート・パルスＧＢを使用してゲート線Ｇ１に関連する画素ラインに黒色＋Ｂを書き込む動作と、狭いゲート・パルスＧＢを使用してゲート線Ｇ３に関連する画素ラインに黒色＋Ｂを書き込む動作と、狭いゲート・パルスＧＢを使用してゲート線Ｇ５に関連する画素ラインに黒色＋Ｂを書き込む動作とが行われ、これによりゲート線Ｇ１５に関連する画素ラインはイメージ＋Ｉを表示し、そしてゲート線Ｇ１に関連する画素ラインは、図１０（Ａ）に示す最終黒色電圧レベル＋ＶＢの黒色を表示し、そしてゲート線Ｇ３に関連する画素ラインは、第２黒色電圧レベル２１の黒色＋Ｂを表示し、そしてゲート線Ｇ５に関連する画素ラインは、第１黒色電圧レベル２０の黒色＋Ｂを表示する。【００３９】この期間Ｔ１５の時点でＬＣＤアレイの表示面に表示されている内容は次の通りである。【００４０】・・・　書き込み手段即ち回路９、１０及び１１は、複数本の画素ラインのそれぞれにイメージを逐次的に書き込み、そして書き込み手段は、１つの画素ラインにイメージを書き込む期間に他の画素ラインに黒色を書き込むことが明らかである。例えば、期間Ｔ１１に、データ信号＋Ｉは、広いゲート・パルスＧＩが供給されるゲート線Ｇ１１に関連する画素ラインにイメージ＋Ｉを書き込むために使用され、そして又狭いゲート・パルスＧＢが供給されるゲート線Ｇ１に関連する画素ラインに黒色＋Ｂを書き込むために使用され、又、期間Ｔ１３では、データ信号＋Ｉは、広いゲート・パルスＧＩが供給されるゲート線Ｇ１３に関連する画素ラインにイメージ＋Ｉを書き込むために使用され、そして又狭いゲート・パルスＧＢが供給されるゲート線Ｇ１及びＧ３に関連する画素ラインに黒色＋Ｂを書き込むために使用され、又、期間Ｔ１５では、データ信号＋Ｉは、広いゲート・パルスＧＩが供給されるゲート線Ｇ１５に関連する画素ラインにイメージ＋Ｉを書き込むために使用され、そして又狭いゲート・パルスＧＢが供給されるゲート線Ｇ１、Ｇ３及びＧ５に関連する画素ラインに黒色＋Ｂを書き込むために使用される。【００４１】このようにして、２種類のゲート・パルスＧＩ及びＧＢが、関連する画素ラインにイメージと黒色との両方を同時に書き込むために選択的にゲート線に供給される。【００４２】同様な動作が、図７及び８に示す第１番目のフレーム期間の期間Ｔ１６乃至Ｔ２０に繰り返される。第１番目のフレーム期間の最後（Ｔ２０）に、ゲート線Ｇ１乃至Ｇ６に関連する画素ラインは最終レベル即ち＋ＶＢ又は−ＶＢの各黒色を表示し、そしてゲート線Ｇ７乃至Ｇ２０に関連する残りの画素ラインは、第２若しくは第１レベルの黒色、又はイメージ＋Ｉ若しくは−Ｉを表示している。更に具体的に言うと、ゲート線Ｇ７及びＧ８に関連する画素ラインは、第２黒色電圧レベル２１又は２３の黒色をそれぞれ表示しており、ゲート線Ｇ９及びＧ１０に関連する画素ラインは、第１黒色電圧レベル２０又は２２の黒色をそれぞれ表示しており、そしてゲート線Ｇ１１乃至Ｇ２０に関連する画素ラインは、イメージ＋Ｉ又は−Ｉをそれぞれ表示している。【００４３】ゲート線Ｇ７乃至Ｇ２０に関連する画素ラインのキャパシタを最終黒色電圧レベル、即ち＋ＶＢ又は−ＶＢにまで充電する書き込み動作は、この第１番目のフレーム期間の後に行われる。この実施例においては図８に示すように、偶数個の期間ＴＢ１乃至ＴＢＥ、例えばＴＢ１乃至ＴＢ４を含むブランキング期間が、第１フレーム期間と第２フレーム期間との間に設けられている。ブランキング期間に含まれる各期間の長さは、フレーム期間に含まれる各期間の長さに等しい。」
　７　「【００４４】（ブランキング期間の動作）この実施例においては、期間ＴＢ１乃至ＴＢ４を含むブランキング期間に、２つの動作が行われる。１つの動作は、第２番目のフレーム期間に画素に供給されるデータ信号の極性を反転するように、極性を調整することである。そしてデータ信号がデータ線駆動回路９に供給される。極性を反転する理由は、周知のようにもしも液晶材料にＤＣ電圧が連続的に印加されると、液晶材料が損傷されるからである。この実施例では、データ信号の極性の反転は、期間ＴＢ３に行われ、ここでデータ信号の極性は図８に示すように、期間ＴＢ３の間負の極性に維持され、この結果、第２フレーム期間に画素ラインに供給されるデータ信号の極性は、第１フレーム期間に画素ラインに供給されるデータ信号の極性に比べて反転される。データ信号の極性の調整は、ブランキング期間の他の期間、例えばＴＢ１、ＴＢ２又はＴＢ４に行われることができる。【００４５】他の動作は、ブランキング期間の期間ＴＢ１乃至ＴＢ４のうちの１つの期間に、第１フレーム期間の最後の期間Ｔ２０に書き込まれた黒色の極性（−Ｂ）と反対極性（＋Ｂ）の黒色を、第１フレーム期間の画素ラインＧ６、Ｇ８及びＧ１０にそれぞれ続く画素ラインＧ７、Ｇ９及びＧ１１に書き込むことである。このようにして、黒色は、奇数フレーム期間の最後の期間ＴＮ即ちＴ２０に黒色が書き込まれた画素ラインに続く画素ラインの少なくとも１つに書き込まれる。ブランキング期間のうちの１つの期間に黒色＋Ｂを書き込む理由は、第２番目のフレーム期間の最初の期間Ｔ１に供給されるデータ信号の極性（−Ｉ）が、第１番目のフレーム期間にゲート線Ｇ２０に関連する最後の画素ラインに供給されるデータ信号の極性（−Ｉ）と同じであり、従って、第２フレーム期間Ｔ２まで、そしてゲート線Ｇ７、Ｇ９及びＧ１１に関連する画素ラインの画素のキャパシタに黒色＋ＶＢを再書き込みできないからである。ブランキング期間が４つの期間を含む場合には、黒色を書き込むために、期間ＴＢ１又はＴＢ４の１つを選択できる。本実施例の場合には、ゲート線Ｇ７、Ｇ９及びＧ１１に狭いゲート・パルスＧＢを供給してこれらに関連する画素ラインにデータ信号＋Ｉの黒色信号部分１６を供給するために期間ＴＢ４が使用される。」
　８　「【００４６】（第２フレーム期間の書き込み動作）上述のように、各画素ラインに供給されるデータ信号の極性が第２番目のフレーム期間では反転されるという点を除いて、第１番目のフレーム期間と同様な動作が第２番目のフレーム期間で行われる。図８の第２番目のフレーム期間の期間Ｔ１において、広いゲート・パルスＧＩがゲート線Ｇ１に供給されてＬＣＤアレイの第１画素ラインにイメージ−Ｉをゲートしてイメージ−Ｉを表示し、そして、狭いゲート・パルスＧＢがゲート線Ｇ８、Ｇ１０及びＧ１２に供給されて、これらのゲート線に関連する画素ラインに黒色−Ｂをゲートしてこれを表示する。【００４７】同様にして、イメージ及び黒色の書き込み動作は第２番目のフレーム期間Ｔ１０まで続く。【００４８】期間Ｔ１１において、広いゲート・パルスＧＩを使用してゲート線Ｇ１１に関連する画素ラインにイメージ−Ｉを書き込み、そしてこれと同時に、狭いゲート・パルスＧＢを使用してゲート線Ｇ１８、Ｇ２０及びＧ１に関連する画素ラインに黒色−Ｂを書き込む動作が行われ、これによりゲート線Ｇ１１に関連する画素ラインはイメージ−Ｉを表示し、そしてゲート線Ｇ１に関連する画素ラインは、図１０（Ｂ）に示す第１黒色電圧レベル２２の黒色を表示し、そしてゲート線Ｇ１８に関連する画素ラインは、最終黒色電圧レベル−ＶＢの黒色−Ｂを表示し、そしてゲート線Ｇ２０に関連する画素ラインは、第２黒色電圧レベル２３の黒色−Ｂを表示する。【００４９】第２フレーム期間の期間Ｔ１３において、ＬＣＤアレイの全ての画素ラインに最終黒色電圧レベル、即ち＋ＶＢ又は−ＶＢの黒色を書き込む動作が完了され、これにより、第１フレーム期間に全ての画素ラインに表示されたイメージが完全に消去される。【００５０】図７に示されている先行フレーム期間に対する黒色の書き込み動作について説明すると、この書き込み動作は、図７のフレーム期間が第１フレーム期間以外の期間、例えば第３、第５又は第７フレーム期間の場合に、先行フレーム期間に全ての画素ラインに表示されたイメージを消去するために行われる。」
　９　「【００８３】説明及び図面を簡略化するために、水平方向に２４個の画素を有しそして垂直方向に２０個の画素を有するＬＣＤアレイについて本発明を説明したが、本発明の書き込み動作は、ＶＧＡ方式の６４０×４８０個の画素、ＳＶＧＡ方式の８００×６００個の画素、又はＸＧＡ方式の１０２４×７６８個等の画素を有する表示画面を有する表示装置に対しても適用されることが明らかである。黒色信号部分１６のフル・ブラック・レベル＋ＶＢ又は−ＶＢの代わりに、先行フレーム期間のイメージを十分に消去することができる任意の電圧レベルを使用することができる。画素へのイメージの書き込み動作の開始と、この画素への黒色の書き込み動作の開始との間の遅延は、図１１及び１２の場合にはＦ／２に選択されたが、この遅延の値は、先行フレーム期間の表示イメージの残像と現フレーム期間の表示イメージとの重なりに基づいて表示イメージが不鮮明になることを防止できる任意の値に選択されることができる。」
　１０　「【００８４】【発明の効果】本発明は、ＬＣＤアレイを２つの半部分に分けることなくそして２つのデータ線駆動回路を必要とすることなく、先行フレーム期間の表示イメージの残像と現フレーム期間の表示イメージとの重なりに基づいて表示イメージが不鮮明になることを防止して動画の質を改善することができる表示装置を実現することができる。」
　
第４　当審の判断
　　　本願発明と刊行物１に記載された発明とを対比する。
　　　刊行物１に記載された「一方のガラス基板」は、一つ目の基板である点で、本願発明の「第１基板」に相当する。刊行物１に記載されたゲート線Ｇ１等は、走査を行うためのものである点で、本願発明の「走査線」に相当する。刊行物１に記載されたデータ線ＤＬ１等は、ゲート線に交差するように形成されデータ信号のためのものである点で、本願発明の「信号線」に相当する。刊行物１に記載された画素は、ゲート線とデータ線の交点に形成されており、本願発明の「画素」に相当する。刊行物１に記載された薄膜トランジスタ１２は、ゲート線のパルスでターン・オンしてデータ線の電圧を画素に印加しており、本願発明の「スイッチング素子」に相当する。
　　　刊行物１に記載された「他方のガラス基板」は、二つ目の基板である点で、本願発明の「第２基板」に相当する。刊行物１に記載された共通電極１５は、他方のガラス基板にあり、本願発明の「対向電極」に相当する。刊行物１に記載された他方のガラス基板と共通電極１５とは本願発明の「対向基板」に相当する。
　　　刊行物１に記載された液晶層１４は、画素電極１３と共通電極１４の間に挟まれており、本願発明の「液晶層」に相当する。
　　　刊行物１に記載されたデータ線駆動回路９は、データ信号のイメージ信号部分１７及び黒色信号部分１６を供給するようにデータ線を駆動しており、本願発明の「信号線駆動回路」に相当する。
　　　刊行物１に記載されたＬＣＤ装置７は、液晶を用いた表示装置である点で本願発明の「液晶表示装置」に相当する。
　　　刊行物１に記載された発明において奇数フレーム期間のＴ１から偶数フレーム期間のＴ１までの期間にデータ線ＤＬ１に複数の黒色信号部分１６を有するデータ信号を与えることは、本願発明の「同一の画素へ前記画像信号の書込みから再度前記画像信号を書込むまでの期間に、前記信号線に前記黒表示信号を複数個供給し」に相当する。また、刊行物１に記載された発明において奇数フレーム期間のＴ１の後にデータ線ＤＬ１に供給される複数個の黒色信号部分１６のうち１０番目の期間Ｔ１１の黒色信号部分１６を選択し書込むことは、本願発明の「前記画素へ画像信号を書込み後に前記信号線へ供給される複数個の前記黒表示信号のうちｋ（１以上の整数）番目の前記黒表示信号を選択し書込みする」ことに相当する。
　　　そうすると、本願発明は、刊行物１に記載された発明と以下の一致点で一致し、以下の相違点で相違する。
　　　一致点　本願発明と刊行物１に記載された発明とが「走査線と、前記走査線と交差するように」「形成された信号線と、前記走査線と前記信号線の交差点毎に形成された画素と、前記走査線の電圧によって開閉し、前記信号線から信号を前記画素に送出するスイッチング素子と、を複数有」し、「第２基板上に形成された対向電極を有する対向基板と」、「基板と前記対向基板との間隙に挟持された液晶層と、前記信号線に画像信号と黒表示信号を供給するように前記信号線を駆動する信号線駆動回路と、を備えた液晶表示装置の駆動方法において、同一の画素へ前記画像信号の書込みから再度前記画像信号を書込むまでの期間に、前記信号線に前記黒表示信号を複数個供給し、前記画素へ画像信号を書込み後に前記信号線へ供給される複数個の前記黒表示信号のうちｋ（１以上の整数）番目の前記黒表示信号を選択し書込みする」「液晶表示装置の駆動方法」である点。
　　　相違点　本願発明では走査線と信号線が「第１基板上に形成された」ものであって「アレイ基板」を構成するのに対し、刊行物１にはこのような記載がされていない点。
　　　この相違点について検討すると、液晶表示装置において基板上に走査用の線とデータ用の線を形成することは周知慣用の技術手段であり、刊行物１に記載された発明にこのような周知慣用の技術手段を適用し上記相違点のようにすることは当業者が適宜に行い得ることである。
　　　本願発明の奏する効果についてみても、刊行物１に記載された発明及び周知慣用の技術手段から予測し得る範囲内のものであり、格別のものではない。
　　　したがって、本願発明は、当業者が刊行物１に記載された発明及び周知慣用の技術手段に基いて容易に発明をすることができたものである。
　
第５　まとめ
　　　以上のとおりであるから、本件出願の請求項１に係る発明である本願発明は特許法２９条２項の規定により特許をすることができないものであり、その余の請求項に係る発明についての判断を示すまでもなく、本件出願は、拒絶をすべきものである。
　　　よって、結論のとおり審決する。